(57)【要約】【課題】ロック片の破損を防止しつつコネクタの支持体に対する保持力の向上を実現できる、コネクタの固定構造を提供すること。【解決手段】コネクタ１２を支持体１４に固定するコネクタの固定構造であって、コネクタ１２のロック部２０は一対の第一ガイドリブ３０の間に第一ロック片３２が配されている一方、支持体１４の被ロック部５６は一対の第二ガイドリブ５８の間に第二ロック片６０が配されていると共に、第二ロック片６０の基端部側には、支持体１４の壁部４８に支持されてコネクタ支持面７２を有する補強突部７０が設けられている。嵌合方向において第二ロック片６０が第二ガイドリブ５８よりも短くされており、第一, 第二のガイドリブ３０，５８が嵌合して第一ロック片３２の係合部４０が第二ロック片６０の被係合部６６に係合したロック部２０と被ロック部５６の嵌合状態で、コネクタ１２の嵌合方向先端部がコネクタ支持面７２に当接支持されている。【選択図】図１
2018026281.tif 000002
【特許請求の範囲】
【請求項１】
コネクタの外面に設けられたロック部を支持体の壁部に突設された被ロック部に嵌合することで前記コネクタを前記支持体に固定するコネクタの固定構造であって、
前記ロック部は、前記ロック部と前記被ロック部の嵌合方向に延出する一対の第一ガイドリブと、該第一ガイドリブの間に配設されて、基端部が前記コネクタの前記外面に連結されていると共に前記コネクタの前記外面上に隙間を隔てて平行に配設されて前記基端部から前記嵌合方向に片持ち状に延出する第一ロック片を有している一方、
前記被ロック部は、前記第一ガイドリブに嵌合される一対の第二ガイドリブの間に配設されて、基端部が前記壁部の表面に連結されていると共に前記壁部の前記表面上に隙間を隔てて平行に配設されて前記基端部から前記嵌合方向に片持ち状に延出する第二ロック片を有していると共に、
前記被ロック部の前記第二ロック片の前記基端部側には、前記支持体の前記壁部に支持されて、前記壁部の前記表面に対する直交方向で前記一対の第二ガイドリブよりも外方に突出して広がるコネクタ支持面を有する補強突部が設けられている一方、
前記被ロック部の前記第二ロック片の前記基端部からの前記嵌合方向での延出長さが、前記第二ガイドリブの前記基端部からの前記嵌合方向での延出長さよりも短くされており、
前記第一ガイドリブと前記第二ガイドリブが嵌合して前記第一ロック片の先端部に設けられた係合部が前記第二ロック片の先端部に設けられた被係合部に係合した前記ロック部と前記被ロック部の嵌合状態で、前記コネクタの前記嵌合方向における先端部が前記補強突部の前記コネクタ支持面に当接支持されている
ことを特徴とするコネクタの固定構造。
【請求項２】
前記被ロック部において、前記一対の第二ガイドリブと前記第二ロック片の間には、前記ロック部の前記一対の第一ガイドリブが挿通可能な一対のスリットが設けられており、一対の前記補強突部が前記一対のスリットの前記基端部側の端部からそれぞれ前記直交方向で外方に突出している請求項１に記載のコネクタの固定構造。
【請求項３】
前記一対の補強突部の各前記コネクタ支持面が、前記一対の第二ガイドリブと前記第二ロック片まで広がって設けられている請求項２に記載のコネクタの固定構造。
【請求項４】
前記一対の補強突部が側面視で略直角三角形状とされており、該直角三角形の底辺によって前記コネクタ支持面の少なくとも一部が構成されている請求項２又は３に記載のコネクタの固定構造。
【請求項５】
前記第二ロック片の先端が、前記第二ロック片の全長の１／３以上の長さ寸法分だけ前記第二ガイドリブの先端よりも基端部側に位置している請求項１〜４の何れか１項に記載のコネクタの固定構造。
【発明の詳細な説明】
【技術分野】
【０００１】
本発明は、ワイヤハーネスの端末に設けられたコネクタを支持体に対して固定するために用いられるコネクタの固定構造に関するものである。
【背景技術】
【０００２】
従来から、ワイヤハーネスの端末に設けられたコネクタは、周辺に設けられた電気接続箱やコネクタホルダ等の支持体の壁部に固定されて支持される場合が多く、例えば、特開２００４−９５４２０号公報（特許文献１）に記載の如きコネクタの固定構造を用いて支持体へのコネクタの固定が実現されている。具体的には、特許文献１に記載されているように、コネクタの外面にはロック部が設けられており、支持体の壁部に突設された被ロック部に対してコネクタのロック部をロック嵌合することで、着脱自在にコネクタを支持体に固定するようになっている。
【０００３】
より詳しくは、コネクタの外面に設けられるロック部は、ロック部と被ロック部の嵌合方向に延出する一対の第一ガイドリブと、一対の第一ガイドリブの間に配設されて、基端部がコネクタの外面に連結されていると共にコネクタの外面上に隙間を隔てて平行に配設されて基端部から嵌合方向に片持ち状に延出する第一ロック片を有している。一方、支持体の壁面に突設された被ロック部は、第一ガイドリブに嵌合される一対の第二ガイドリブの間に配設されて、基端部が壁部の表面に連結されていると共に壁部の表面上に隙間を隔てて平行に配設されて基端部から嵌合方向に片持ち状に延出する第二ロック片を有している。そして、コネクタのロック部を支持体の被ロック部に対して嵌合方向で接近させると、第一ガイドリブと第二ガイドリブが嵌合されて第一ロック片と第二ロック片が位置決めされると共に、さらに嵌合方向で相互に接近させられることにより、第一ロック片の先端部に設けられた係合部が第二ロック片の先端部に設けられた被係合部と当接して各ロック片が撓み変形し、係合部が被係合部を乗り越えて各ロック片が弾性復帰することにより、係合部と被係合部が係合状態となる。これにより、ロック部と被ロック部が嵌合状態となり、コネクタが支持体に抜け出し不能に固定されることとなる。
【０００４】
ところで、コネクタはワイヤハーネスの端末に設けられていることから、上述の如きロック部と被ロック部の嵌合によって支持体に支持されたコネクタには、ワイヤハーネスから引張力等の外力が加えられる。それゆえ、ワイヤハーネスからコネクタに伝達される外力が過大となると、各ロック片に外力が伝達されて破損等の原因となるおそれがあることから、コネクタを支持体に対して安定して保持することが求められる。上述のロック部と被ロック部の嵌合によるコネクタの支持体に対する保持力は、例えば第一ガイドリブと第二ガイドリブの嵌合により発現されているが、コネクタが嵌合方向で長尺となる場合等、より大きな保持力が要求される場合には、第一ロック片と第二ロック片も長尺として、一方の先端部が他方の基端部の底面に当接する程までに相互の重なり代を大きくすることで、保持力を増大させることが考えられる。
【０００５】
ところが、相互の重なり代を大きく確保するために、第一ロック片と第二ロック片を長尺にすると、例えば、コネクタを支持体の上方から嵌合する際に、コネクタの傾斜等により少しでも支持体の外周側に傾斜した方向で被ロック部の第二ロック片の先端部にコネクタから加えられる嵌合力が及ぼされると、第一ロック片が長尺ゆえ基端部に大きな外力が集中して第一ロック片が破損するおそれがあったのである。
【先行技術文献】
【特許文献】
【０００６】
【特許文献１】特開２００４−９５４２０号公報
【発明の概要】
【発明が解決しようとする課題】
【０００７】
本発明は、上述の事情を背景に為されたものであって、その解決課題は、ロック片の破損を防止しつつコネクタの支持体に対する保持力の向上を図ることができる、コネクタの固定構造を提供することにある。
【課題を解決するための手段】
【０００８】
以下、このような課題を解決するために為された本発明の態様を記載する。なお、以下に記載の各態様において採用される構成要素は、可能な限り任意の組み合わせで採用可能である。
【０００９】
すなわち、本発明の第一の態様は、コネクタの外面に設けられたロック部を支持体の壁部に突設された被ロック部に嵌合することで前記コネクタを前記支持体に固定するコネクタの固定構造であって、前記ロック部は、前記ロック部と前記被ロック部の嵌合方向に延出する一対の第一ガイドリブと、該第一ガイドリブの間に配設されて、基端部が前記コネクタの前記外面に連結されていると共に前記コネクタの前記外面上に隙間を隔てて平行に配設されて前記基端部から前記嵌合方向に片持ち状に延出する第一ロック片を有している一方、前記被ロック部は、前記第一ガイドリブに嵌合される一対の第二ガイドリブの間に配設されて、基端部が前記壁部の表面に連結されていると共に前記壁部の前記表面上に隙間を隔てて平行に配設されて前記基端部から前記嵌合方向に片持ち状に延出する第二ロック片を有していると共に、前記被ロック部の前記第二ロック片の前記基端部側には、前記支持体の前記壁部に支持されて、前記壁部の前記表面に対する直交方向で前記一対の第二ガイドリブよりも外方に突出して広がるコネクタ支持面を有する補強突部が設けられている一方、前記被ロック部の前記第二ロック片の前記基端部からの前記嵌合方向での延出長さが、前記第二ガイドリブの前記基端部からの前記嵌合方向での延出長さよりも短くされており、前記第一ガイドリブと前記第二ガイドリブが嵌合して前記第一ロック片の先端部に設けられた係合部が前記第二ロック片の先端部に設けられた被係合部に係合した前記ロック部と前記被ロック部の嵌合状態で、前記コネクタの前記嵌合方向における先端部が前記補強突部の前記コネクタ支持面に当接支持されていることを、特徴とする。
【００１０】
本態様によれば、支持体の壁部に突設された被ロック部の第二ロック片の基端部側において、支持体の壁部に支持されて、壁部の表面に対する直交方向で一対の第二ガイドリブよりも外方に突出して広がるコネクタ支持面を有する補強突部が設けられている。さらに、ロック部と被ロック部の嵌合状態で、コネクタの嵌合方向における先端部が補強突部のコネクタ支持面に当接支持されている。それゆえ、支持体に保持されたコネクタに対してワイヤハーネスから引張力が加えられても、支持体の壁部表面に直交して外方に広がる補強突部のコネクタ支持面でコネクタに加わる外力を支持することができて、かかる外力が各ロック片に及ぼされてロック片が破損するおそれを低減乃至は解消することができる。
【００１１】
また、このような補強突部を設けたことにより、コネクタの支持体に対する保持力を第一ロック片と第二ロック片の重なり代を大きくすることで確保する必要がないことから、被ロック部の第二ロック片の基端部からの嵌合方向での延出長さを、第二ガイドリブの基端部からの嵌合方向での延出長さよりも短くすることができる。その結果、コネクタのロック部を支持体の被ロック部に嵌合する際の傾斜方向の荷重により第二ロック片が破損することも未然に防止することができ、ロック片の破損の防止とコネクタの支持体に対する保持力の向上の両立を有利に図ることができる。
【００１２】
なお、補強突部は、前記支持体の壁部に直接支持されていてもよいし、第二ガイドリブ等を介して間接的に支持されていてもよい。
【００１３】
本発明の第二の態様は、前記第一の態様に記載のものであって、前記被ロック部において、前記一対の第二ガイドリブと前記第二ロック片の間には、前記ロック部の前記一対の第一ガイドリブが挿通可能な一対のスリットが設けられており、一対の前記補強突部が前記一対のスリットの前記基端部側の端部からそれぞれ前記直交方向で外方に突出しているものである。
【００１４】
本態様によれば、被ロック部の一対のスリットの基端部側の端部にそれぞれ一対の補強突部が設けられていることから、一対の補強突部の間にコネクタから延出するワイヤハーネスを挿通することができ、一対の補強突部によってワイヤハーネスの経路規制や保護の機能も実現させることができる。
【００１５】
本発明の第三の態様は、前記第二の態様に記載のものにおいて、前記一対の補強突部の各前記コネクタ支持面が、前記一対の第二ガイドリブと前記第二ロック片まで広がって設けられているものである。
【００１６】
本態様によれば、コネクタ支持面が両外側の第二ガイドリブと内側の第二ロック片まで広がって設けられていることから、より一層安定してコネクタを保持することができ、ロック片の破損を一層有利に防止することができる。さらに、被ロック部全体の剛性を向上させて被ロック部の耐久性の向上を図ることができる。
【００１７】
本発明の第四の態様は、前記第二又は第三の態様に記載のものにおいて、前記一対の補強突部が側面視で略直角三角形状とされており、該直角三角形の底辺によって前記コネクタ支持面の少なくとも一部が構成されているものである。
【００１８】
本態様によれば、補強突部が側面視で略直角三角形状とされており、直角三角形の底辺によってコネクタ支持面の少なくとも一部が構成されていることから、補強突部の強度を確保して、一層安定したコネクタの保持が実現される。さらに、補強突部がコネクタ支持面から下方に離隔するに従って壁部の表面側に向かって小さくなるテーパ状とされていることから、コネクタの下方に位置する他部材との干渉を回避しつつ、コネクタ支持面によるコネクタの安定した支持を実現することができる。
【００１９】
本発明の第五の態様は、前記第一〜第四の何れか１つの態様に記載のものにおいて、前記第二ロック片の先端が、前記第二ロック片の全長の１／３以上の長さ寸法分だけ前記第二ガイドリブの先端よりも基端部側に位置しているものである。本態様によれば、第二ロック片の長さ寸法を確実に短くすることができ、第二ロック片の破損を一層確実に防止できる。
【発明の効果】
【００２０】
本発明においては、支持体の壁部に突設された被ロック部の第二ロック片の基端部側にコネクタ支持面を有する補強突部が形成されており、ロック部と被ロック部の嵌合状態で、コネクタの嵌合方向における先端部が補強突部のコネクタ支持面に当接支持されている。これにより、支持体に保持されたコネクタに対してワイヤハーネスから引張力が加えられても、コネクタに加わる外力が補強突部のコネクタ支持面で支持されることから、かかる外力の作用によるロック片の損傷を防止することができる。さらに、補強突部を設けたことによって、コネクタの支持体に対する保持力を第一ロック片と第二ロック片の重なり代を大きくして確保する必要がなく、被ロック部の第二ロック片の基端部からの嵌合方向での延出長さを、第二ガイドリブの基端部からの嵌合方向での延出長さよりも短くすることができる。その結果、コネクタの支持体に対する保持力の向上が図られると共に、ロック部を被ロック部と嵌合する際に、傾斜方向に荷重がロック片に作用しても、ロック片の破損が防止される。
【図面の簡単な説明】
【００２１】
【図１】本発明の第一の実施形態としてのコネクタの固定構造を備えるコネクタ付き支持体を示す正面図。
【図２】図１に示すコネクタ付き支持体の背面図。
【図３】図１に示すコネクタ付き支持体の平面図。
【図４】図１に示すコネクタ付き支持体の底面図。
【図５】図１に示すコネクタ付き支持体の左側面図。
【図６】図１に示すコネクタ付き支持体の右側面図。
【図７】図１に示すコネクタ付き支持体を構成するコネクタの斜視図。
【図８】図７に示すコネクタの平面図。
【図９】図７に示すコネクタの底面図。
【図１０】図７に示すコネクタの背面図。
【図１１】図７のＸＩ−ＸＩ断面図。
【図１２】図１に示すコネクタ付き支持体を構成する支持体の斜視図。
【図１３】図１に示すコネクタ付き支持体の要部拡大断面図であって、ＸＩＩＩ−ＸＩＩＩ断面に相当する図。
【図１４】図１に示すコネクタ付き支持体の要部拡大断面図であって、ＸＩＶ−ＸＩＶ断面に相当する図。
【発明を実施するための形態】
【００２２】
以下、本発明の実施形態について、図面を参照しつつ説明する。
【００２３】
図１〜６には、本発明の第一の実施形態としてのコネクタの固定構造を備えるコネクタ付きホルダ１０が示されている。コネクタ付きホルダ１０は、コネクタ１２が支持体としてのホルダ１４に嵌合装着された構造を有している。以下の説明において、上下方向とは、原則として、コネクタ１２の嵌合方向である図１中の上下方向を言う。また、特に説明がない限り、左右方向とは図１中の左右方向を、前後方向とは図４中の上下方向を、それぞれ言う。
【００２４】
より詳細には、コネクタ１２は、図示しないワイヤハーネスの端部に設けられる合成樹脂製の雌コネクタであって、図７〜１１に示すように、本体部１６の後面１８にロック部２０が一体形成された構造を有している。なお、コネクタ１２は、一般的な公知のコネクタと同様に、後述する接続孔２２内に金属製の端子を備えていると共に、該端子に電気的に接続された配線が外部へ延び出しているが、ここでは図示および説明を省略する。
【００２５】
本体部１６は、全体として略四角柱形状を呈しており、上面に開口して上下に延びる凹所状の接続孔２２が形成されている。この接続孔２２には、接続孔２２に挿入連結される図示しない雄コネクタを正しい向きで連結させるためのガイド突起２４が上下に連続して形成されている。また、本体部１６の前面２６には、係止突起２８が形成されており、図示しない雄コネクタに設けられた係合爪が係止されることで、コネクタ１２と雄コネクタが分離不能に連結されるようになっている。
【００２６】
ロック部２０は、図８〜１１に示すように、左右で相互に離れてそれぞれ上下に延びる一対の第一ガイドリブ３０，３０と、それら一対の第一ガイドリブ３０，３０の間に配された第一ロック片３２とを、一体で備えている。
【００２７】
一対の第一ガイドリブ３０，３０は、本体部１６の後面１８から突出する挿入部３４と、挿入部３４の後端から図１０中の左右内側へ向けて突出するカバー部３６とを一体で備えており、略Ｌ字断面で上下に直線的に延びている。さらに、第一ガイドリブ３０の上端部には、挿入部３４およびカバー部３６の上端部を本体部１６の後面１８に連結する上底部３７が、上下と略直交する方向に広がって設けられている。また、一対の第一ガイドリブ３０，３０は、カバー部３６，３６が上下中間部分において左右に延びる連結部３８によって一体的に連結されている。
【００２８】
第一ロック片３２は、一対の第一ガイドリブ３０，３０を左右で相互につなぐ連結部３８から下方へ向けて片持ち状に延出しており、本体部１６の外面を構成する後面１８に対して隙間を隔てて略平行に配設されていると共に、上端部が連結部３８および一対の第一ガイドリブ３０，３０を介して本体部１６の後面１８に連結されている。さらに、第一ロック片３２の先端部である下端部には、本体部１６に向けて突出する係合部４０が一体形成されている。この係合部４０は、上面がコネクタ１２の嵌合方向である上下方向に対して略垂直に広がる或いは本体部１６側へ行くに従って上傾する係合面４２とされていると共に、下面が本体部１６側へ行くに従って上傾する傾斜面４４とされている。
【００２９】
一方、ホルダ１４は、図１〜６および図１２に示すような板状の部材であって、合成樹脂で形成されており、表面４６を有する壁部としての前壁部４８と前壁部４８の周囲から裏側（図３中、上側）へ突出する周壁部５０を一体で備えると共に、周壁部５０の内周側には、図２に示すように、前壁部４８から裏側へ突出する補強リブ５２が一体形成されて、前壁部４８および周壁部５０が補強されている。なお、本実施形態のホルダ１４は、図３〜６に示すように、下端部において後方へ突出する配線固定部５４を備えており、図示しないワイヤハーネスなどの配線を結束バンドなどで固定できるようになっている。
【００３０】
また、ホルダ１４には、被ロック部５６が設けられている。被ロック部５６は、図１２に示すように、前壁部４８の表面４６から突出する一対の第二ガイドリブ５８，５８を備えていると共に、それら一対の第二ガイドリブ５８，５８の間に第二ロック片６０を備えている。
【００３１】
一対の第二ガイドリブ５８，５８は、それぞれ上下へ直線的に延びる板状とされていると共に、上端部の左右内側の面がそれぞれ上方へ行くに従って左右外側に傾斜するガイド面６２とされており、上端部における左右方向の対向面間距離が上方へ向けて次第に大きくなっている。また、ガイド面６２よりも下側における第二ガイドリブ５８，５８の対向面間距離は、コネクタ１２の第一ガイドリブ３０，３０の挿入部３４，３４の左右外面間の距離と略同じとされており、第二ガイドリブ５８，５８の左右間に第一ガイドリブ３０，３０を嵌入可能とされている。なお、第二ガイドリブ５８は、上部が表面４６に対して略一定の突出寸法で形成されているが、下端部は下方へ行くに従って表面４６からの突出高さが小さくなっている。
【００３２】
第二ロック片６０は、板状であって、前壁部４８の表面４６に対して略平行に隙間を隔てて配置されていると共に、基端部である下端が前壁部４８に一体的に連結されており、前壁部４８によって片持ち状に支持されている。第二ロック片６０の下部には、厚さ方向に貫通する切欠き６４が形成されており、切欠き６４が第二ロック片６０の下端まで達して下方に開放されていると共に、第二ロック片６０における切欠き６４よりも上方に位置する部分が左右に延びる被係合部６６とされている。本実施形態の被係合部６６は、少なくとも上端部が上方へ行くに従って狭幅且つ薄肉となっている。
【００３３】
さらに、第二ガイドリブ５８，５８と第二ロック片６０の間には、上下に直線的に延びるスリット６８がそれぞれ形成されている。このスリット６８は、コネクタ１２に設けられた第一ガイドリブ３０の挿入部３４を挿通可能な左右幅で形成されており、好適には、挿入部３４の左右幅よりも大きな左右幅で形成されている。また、第二ロック片６０の基端部からの延出長さである上下長さは、第二ガイドリブ５８の同じ位置からの上下長さよりも小さくされており（本実施形態では、第二ガイドリブ５８の同じ位置からの上下長さの２／３以下）、第二ロック片６０の上端が第二ガイドリブ５８の上端よりも下方に位置している。本実施形態では、第二ロック片６０の上端が第二ガイドリブ５８のガイド面６２の下端に対して略同じか下方に位置している。
【００３４】
第二ロック片６０の下方には、前壁部４８の表面４６から突出する左右一対の補強突部７０，７０が形成されている。補強突部７０は、スリット６８，６８の下側の端部から前方へ向けて突出しており、表面４６からの突出長さが第二ガイドリブ５８よりも大きくされている。さらに、補強突部７０の前後中間部分において、第二ロック片６０が上方へ向けて突出しており、第二ロック片６０の基端部が一対の補強突部７０，７０を介して前壁部４８に連結されている。
【００３５】
さらに、補強突部７０は、上下方向視において略Ｌ字形状とされて、左右外側部分が左右内側部分よりも表面４６からの突出寸法を大きくされている。さらに、補強突部７０の左右外端部分は、図５に示す側方視において略直角三角形状を呈しており、左右内側部分に比して下方へ大きく延び出していると共に、前後長さが下方へ行くに従って小さくなっている。要するに、補強突部７０は、略Ｌ字板状とされた上端部の左右外端に対して、側方視で直角三角形状とされた補強側板部が下方に一体形成された構造を有しており、上端部の変形剛性が表面４６からの突出長さの大きい左右外端部において補強側板部で補強されている。
【００３６】
更にまた、本実施形態では、左右に離れて配された一対の補強突部７０，７０が形成されており、一対の補強突部７０，７０の間には、それら一対の補強突部７０，７０を分ける空間が、第二ロック片６０の切欠き６４と連続して形成されている。
【００３７】
この補強突部７０，７０の上面は、上下方向に対して直交する方向に広がる平坦なコネクタ支持面７２，７２とされている。コネクタ支持面７２は、スリット６８の下内面と同一平面上で広がって、上下方向視でＬ字形状とされており、補強突部７０の側方視略直角三角形部分の上底辺で構成されたコネクタ支持面７２の左右外側部分が、左右内側部分よりも表面４６からの突出寸法を大きくされている。さらに、コネクタ支持面７２，７２は、左右外側部分が第二ガイドリブ５８，５８の前方まで広がっていると共に、左右内側部分が第二ロック片６０の前方まで広がっており、各コネクタ支持面７２の左右幅がスリット６８の左右幅よりも大きくされている。なお、本実施形態では、コネクタ１２の本体部１６の下面が平面とされていることから、コネクタ支持面７２が平面とされているが、コネクタ支持面７２は本体部１６の下面と対応する形状であることが望ましく、湾曲面や凹凸を有する面など平面以外の形状も採用され得る。
【００３８】
そして、ホルダ１４の被ロック部５６には、コネクタ１２のロック部２０が嵌合されている。即ち、コネクタ１２のロック部２０をホルダ１４の被ロック部５６に対して上方から接近させることにより、ロック部２０の第一ロック片３２の係合部４０が、第一ロック片３２の厚さ方向の曲げ弾性変形によって、被ロック部５６の第二ロック片６０の被係合部６６を乗り越える。そして、係合部４０が被係合部６６を乗り越えて切欠き６４の形成部分に達するまでロック部２０と被ロック部５６を嵌合方向で接近させることにより、第一ロック片３２の弾性に基づく形状復元作用によって係合部４０が切欠き６４に差し入れられて、第一ロック片３２の係合部４０が第二ロック片６０の被係合部６６に対して上下方向で係合される。
【００３９】
これにより、ロック部２０を備えるコネクタ１２が、被ロック部５６を備えるホルダ１４に対して、上方への抜けを防止された状態で分離不能に嵌合固定されて、本実施形態のコネクタ付きホルダ１０が構成されている。このように、コネクタ１２のロック部２０とホルダ１４の被ロック部５６の嵌合によって、コネクタ１２をホルダ１４に固定するコネクタの固定構造が構成されている。なお、コネクタ１２のロック部２０とホルダ１４の被ロック部５６との嵌合方向は本実施形態において上下方向であって、コネクタ１２の嵌合方向が下方向であると共に、ホルダ１４の嵌合方向が上方向である。
【００４０】
ホルダ１４の被ロック部５６では、第二ロック片６０の上下長さが短くされて、第二ロック片６０の上端が第二ガイドリブ５８，５８の上端よりも下方に控えて位置している。そして、ロック部２０を被ロック部５６に接近させて嵌合する際に、ロック部２０の第一ガイドリブ３０，３０の挿入部３４が被ロック部５６のスリット６８，６８に差し入れられて、第二ガイドリブ５８，５８の左右内面に沿って上下に案内されるようになっている。これにより、第一ロック片３２が第二ロック片６０に対して適切に位置決めされた状態で接近して第二ロック片６０に嵌合されると共に、第一ガイドリブ３０，３０が第二ガイドリブ５８，５８の間に嵌合される。
【００４１】
また、コネクタ１２のロック部２０とホルダ１４の被ロック部５６が嵌合された状態において、図１３，１４に示すように、コネクタ１２の本体部１６がホルダ１４のコネクタ支持面７２，７２に当接しており、コネクタ１２の本体部１６がコネクタ支持面７２，７２を備える補強突部７０，７０によって支持されている。
【００４２】
このようなコネクタ１２のロック部２０とホルダ１４の被ロック部５６で構成されたコネクタの固定構造では、コネクタ１２の嵌合方向先端面である下面が補強突部７０のコネクタ支持面７２によって当接支持されている。それゆえ、ホルダ１４に取り付けられたコネクタ１２に作用する下向きの外力がコネクタ支持面７２によって受けられて、第二ロック片６０の下端がホルダ１４に当接して外力を受け難くなっている。このように、外力が第二ロック片６０に作用するのを防ぐことができることから、第二ロック片６０の折れや曲がりなどの損傷を回避することができる。
【００４３】
さらに、補強突部７０によってコネクタ１２のホルダ１４に対する取付強度を確保することができることから、長さの短い第一, 第二ロック片３２，６０を採用しても、十分な取付強度を確保することができる。その結果、コネクタ１２をホルダ１４に取り付ける際に、第一ロック片３２と第二ロック片６０が前後に傾斜した方向で作用する外力によって損傷するのを未然に防止することができる。
【００４４】
特に、第二ロック片６０が短くされて、第二ロック片６０の上端が第二ガイドリブ５８，５８の上端よりも下方、具体的には、第二ロック片６０の基端部から上端に至る全長（上下長さ）の１／３以上の長さ寸法分だけ下方（基端部側）に位置している。これにより、コネクタ１２をホルダ１４に取り付ける際に、第二ロック片６０がホルダ１４に当接するよりも前に、コネクタ１２が第二ガイドリブ５８，５８によってホルダ１４に対する適切な相対位置へ位置決めされる。それゆえ、第二ロック片６０とホルダ１４の意図しない当接によって第二ロック片６０に外力が作用するのも防止されて、第二ロック片６０の損傷が回避される。
【００４５】
また、コネクタ支持面７２がスリット６８よりも左右両側まで広がって形成されていることから、コネクタ１２のコネクタ支持面７２への当接面積が大きく確保されて、コネクタ１２をより安定して支持することができ、第二ロック片６０の損傷を有利に防ぐことができる。しかも、本実施形態では、コネクタ支持面７２の左右外側部分が、コネクタ１２の底面の左右外側の辺に沿って前方へ大きく突出しており、コネクタ１２がより広い当接面積で安定的に支持されると共に、コネクタ１２の前後や左右への傾動に対する保持力も有利に発揮される。
【００４６】
さらに、補強突部７０が被ロック部５６を構成する第二ガイドリブ５８，５８と第二ロック片６０に至るように広がって設けられていることから、被ロック部５６の剛性の向上が図られて、被ロック部５６の耐久性の向上が図られる。
【００４７】
更にまた、本実施形態では、補強突部７０の左右外側部分が側面視で略直角三角形状とされて、直角三角形の底辺によってコネクタ支持面７２の外側部分が構成されていることから、補強突部７０の剛性が有利に確保されて、補強突部７０による被ロック部５６の補強効果がより効果的に発揮される。しかも、補強突部７０が側面視で直角三角形状とされていることによって、コネクタ支持面７２から下方へ離隔するに従って補強突部７０の表面４６からの突出寸法が小さくなっており、コネクタ１２の下方に位置する他部材との干渉が回避され易くなる。
【００４８】
また、一対の補強突部７０，７０の間に空間が形成されていることから、それら一対の補強突部７０，７０の間にコネクタ１２から下方へ延び出す図示しないワイヤハーネスを挿通することができて、一対の補強突部７０，７０によってワイヤハーネスの経路を設定したり、一対の補強突部７０，７０によってワイヤハーネスを保護することなどができる。加えて、補強突部７０に当たることによるワイヤハーネスの無理な湾曲なども回避されることから、信頼性の向上なども図られ得る。
【００４９】
なお、本実施形態のホルダ１４には、複数のコネクタ取付部７４が形成されている。コネクタ取付部７４は、図示しない他のコネクタに設けられたロック部との嵌合によって従来構造のコネクタ固定構造を構成する被ロック部であって、各コネクタ取付部７４に図示しない他のコネクタが取り付けられるようになっている。
【００５０】
以上、本発明の実施形態について詳述してきたが、本発明はその具体的な記載によって限定されない。例えば、前記実施形態では支持体としてコネクタホルダを例示したが、支持体は、例えば電気接続箱やジャンクションボックスなどであっても良い。
【００５１】
さらに、支持体は、本発明に係る被ロック部を複数備えていても良く、本発明に係るロック部を備えた複数のコネクタを１つの支持体に取付可能とすることもできる。
【００５２】
また、補強突部の具体的な構造は特に限定されるものではなく、例えば支持体の表面から前方への突出長さが左右全体に亘って略一定とされていても良いし、左右で分割されることなく連続した１つの補強突部だけを形成することも可能である。
【００５３】
支持体に対するコネクタの取付方向は、コネクタの荷重をコネクタ支持面によって支持され易いように、前記実施形態のような上下方向であることが望ましいが、特に限定されるものではなく、コネクタのロック部を支持体の被ロック部に対して側方から嵌合するようにしても良い。
【符号の説明】
【００５４】
１０：コネクタ付きホルダ、１２：コネクタ、１４：ホルダ（支持体）、１８：後面（外面）、２０：ロック部、３０：第一ガイドリブ、３２：第一ロック片、４０：係合部、４６：表面、４８：前壁部（壁部）、５６：被ロック部、５８：第二ガイドリブ、６０：第二ロック片、６６：被係合部、６８：スリット、７０：補強突部、７２：コネクタ支持面
【図１】
2018026281.tif 000003
【図２】
2018026281.tif 000004
【図３】
2018026281.tif 000005
【図４】
2018026281.tif 000006
【図５】
2018026281.tif 000007
【図６】
2018026281.tif 000008
【図７】
2018026281.tif 000009
【図８】
2018026281.tif 000010
【図９】
2018026281.tif 000011
【図１０】
2018026281.tif 000012
【図１１】
2018026281.tif 000013
【図１２】
2018026281.tif 000014
【図１３】
2018026281.tif 000015
【図１４】
2018026281.tif 000016